(57)【要約】【課題】            開口部径の小さいローヤル缶を使用した塗料に対しても使用でき、軽量であり、液抵抗の少ない形状であって、塗料沈殿物を軟らかくほぐすことができ、塗料を効率よく攪拌できて、かつ塗料の付着が少ない攪拌棒を提供すること。【解決手段】        樹脂製であって、断面視ほぼ方形の角型棒状体であり、その幅が１．５〜５．０ｃｍであり、高さが０．３〜２．０ｃｍであって、一端部から他端部に向けて幅が同じかまたは増加しており、該他端部の形状が、上面端縁から下方に向けて傾斜している面を有する形状をしており、長さが３０〜１５０ｃｍの樹脂製攪拌棒。【選択図】          図１
0003164080.tif 000002
【実用新案登録請求の範囲】
【請求項１】
樹脂製であって、断面視ほぼ方形の角型棒状体であり、その幅が１．５〜５．０ｃｍであり、高さが０．３〜２．０ｃｍであって、一端部から他端部に向けて幅が同じかまたは増加しており、該他端部の形状が、上面端縁から下方に向けて傾斜している面を有する形状をしており、長さが３０〜１５０ｃｍの樹脂製攪拌棒。
【請求項２】
前記樹脂製攪拌棒が、棒の他端部の形状が、上面端縁から下方に向けて角度２０〜７０°で傾斜している面を有する請求項１に記載の攪拌棒。
【請求項３】
前記樹脂がポリエチレン樹脂及びポリプロピレン樹脂から選ばれた樹脂である請求項１または２に記載の攪拌棒。
【請求項４】
前記樹脂製攪拌棒が、塗料用である請求項１〜３のいずれか１項に記載の樹脂製攪拌棒。
【考案の詳細な説明】
【技術分野】
【０００１】
本考案は、樹脂製角棒型形状の攪拌棒に関する。さらに詳しくは、塗料等の攪拌に適した形状を有する樹脂製攪拌棒に関する。
【背景技術】
【０００２】
塗料は通常角型のローヤル缶（一斗缶）や、丸型のペール缶、塗料缶など各種の容器に入れられているが、塗料成分が沈殿したり、主剤と溶剤が分離したりするので、塗料を使用するときとか、塗料濃度を調整したい場合や、ひどい場合には硬く固まったりするので、塗料を混合して所望の塗料を調製したりするときには、硬くなった固形物をほぐしかつ均一になるまで攪拌する必要がある。
【０００３】
従来塗料の攪拌には、ステンレス製などの金属製攪拌翼や鋸製攪拌棒、木製攪拌棒が使用されているが、従来公知の金属製攪拌翼あるいは棒では、粘性が高い塗料や、密着性の強い塗料では攪拌棒に付着した塗料を除去するのに手間取り、ときには再使用ができないことがあった。特に、金属製攪拌棒は重く、攪拌に労力を要し疲労し易いという問題があった。
【０００４】
特にローヤル缶を使用した塗料においては、開口部の径が小さいので、使用する攪拌棒の形状には制約があり、ローヤル缶中の塗料を効率よく攪拌でき、かつ塗料の付着が少ない攪拌棒の開発が望まれていた。さらに攪拌する前の沈殿物をまず軟らかくほぐす機能を持つ攪拌棒が望まれていた。
【考案の概要】
【考案が解決しようとする課題】
【０００５】
本考案は、上記した従来技術の課題を解決するものであり、開口部径の小さいローヤル缶を使用した塗料に対しても使用できる、軽量であって、液抵抗の少ない形状であり、塗料沈殿物を軟らかくほぐすことができ、塗料を効率よく攪拌できて、かつ塗料の付着が少ない攪拌棒を提供するものである。
【課題を解決するための手段】
【０００６】
本考案は、樹脂製であって、断面視ほぼ方形の角型棒状体であり、その幅が１．５〜５．０ｃｍであり、高さが０．３〜２．０ｃｍであって、一端部から他端部に向けて幅が同じかまたは増加しており、該他端部の形状が、上面端縁から下方に向けて傾斜している面を有する形状をしており、長さが３０〜１５０ｃｍの樹脂製攪拌棒を提供する。
【０００７】
前記樹脂がポリエチレン及びポリプロピレンから選ばれた樹脂である前記樹脂製攪拌棒は、本考案の好ましい態様である。
【考案の効果】
【０００８】
本考案によって、開口部径の小さいローヤル缶を使用した塗料に対しても使用でき、その形状により液抵抗が少ないために塗料の攪拌効率が高く、かつ突起部や接続部がなく死角になる部分がなく、塗料の付着が少ない軽量の攪拌棒が提供される。
本考案によって、塗料成分によって腐食しないし、塗料への溶解によって塗料に異物を混入させることもない攪拌棒が提供される。
本考案によって、折れ難く、耐久性があり、操作が容易で、保管も容易である攪拌棒が提供される。
本考案は、樹脂製攪拌棒であるので、缶の入り口や内壁を傷つけることがない攪拌棒が提供される。
本考案により、適当なしなり具合があって、攪拌しやすく、使用したときの疲労感が少ない攪拌棒が提供される。
【図面の簡単な説明】
【０００９】
【図１】は、本考案の攪拌棒の全体を示す斜視図である。
【図２】は、本考案の攪拌棒の部分側面図である。
【図３】は、本考案の攪拌棒をローヤル缶に入った塗料の攪拌に使用する様子を示す概略図である。
【考案を実施するための形態】
【００１０】
開口部径の小さいローヤル缶を使用した塗料に対しても使用でき、塗料を効率よく攪拌でき、かつ塗料の付着が少ない攪拌棒を提供する。すなわち、本考案は、樹脂製であって、断面視ほぼ方形の角型棒状体であり、一端部から他端部に向けて幅が同じかまたは増加しており、該他端部の形状が、上面端縁から下方に向けて傾斜している面を有する形状をした樹脂製攪拌棒である。
【００１１】
本考案の攪拌棒は、幅が１．５〜５．０ｃｍ、好ましくは２．０〜４．０ｃｍで、高さが０．３〜２．０ｃｍ、好ましくは０．５〜１．５ｃｍであることが望ましく、長さは３０〜１５０ｃｍ、好ましくは４０〜１００ｃｍの範囲であることが望ましい。
なお、本考案の攪拌棒の高さは、一端部から他端部にかけて同じであってもいいし、高さおよび幅を増加もしくは減じていてもよい。
本考案の攪拌棒には、突起物や接続部は形成されていないことが好ましい。
また本考案の攪拌棒は、硬くなった固形物を軟らかくほぐすために、棒の先が鋭角になっていることが望ましい。
【００１２】
攪拌棒を構成する樹脂としては、各種の公知の樹脂から選択して使用することができる。中でもポリオレフィン系樹脂が好ましく、その中でも、高密度ポリエチレン、中密度ポリエチレン、直鎖状低密度ポリエチレンなどのポリエチレン樹脂、プロピレン単独重合体、プロピレンランダム共重合体、プロピレンブロック共重合体などのポリプロピレン樹脂が好ましく使用される。
【００１３】
以下、図を用いて本考案をより詳細に説明する。
図１は、本考案の攪拌棒の斜視図である。図１の攪拌棒１は、断面視長方形をした角型棒状をしており、一端２から他端部３に向けて幅が増加した形状をしている。他端部３は
上面端縁から下方に向けて傾斜している面４を有する形状をしている。このような、特定の形状とすることにより、液抵抗の少ない攪拌棒を実現している。
図１の攪拌棒では、一端部近傍に上下高さ方向に通孔５が設けられている。このような通孔５は本考案の攪拌棒では必須ではないが、保管時に壁等に系止保管したり、紐を通して鉤等にかけて保管したりできるので好ましい態様である。
【００１４】
図２は、本考案の攪拌棒１の部分側面図である。図２のおける他端部３の形状から、他端部３に上面端縁から下方に向けて傾斜している面４の存在がよくわかる。傾斜している面４は、高さ方向の途中で終了しており、残りの高さ部分は垂直面で形成されている。本考案の攪拌棒においては、当該垂直面は、高さの０〜５０％、好ましくは０〜３０％を占める程度であることが好ましい。
上面端縁から下方に向けて傾斜している面４は、上面の延長水平方向に対して、２０〜７０°の角度で下方に傾斜しているのが好ましい。
【００１５】
図３は、本考案の攪拌棒１を、ローヤル缶６の開口部７から挿入して、缶に入った塗料８を攪拌している様子を示す概略図である。攪拌棒１の特定の形状によって、塗料は効率よく、かつ缶の入り口や内壁を傷つけることなく攪拌される。もし缶の入り口や内壁を傷つけた場合、金属クズの混入による品質トラブルの原因になりうる。
【００１６】
本考案の攪拌棒は、材質が樹脂製であるすることによって、缶入り口や内壁を傷つけることがないし、溶剤には侵されにくく腐食することもないし、塗料が付着しにくいという特徴を有する。
本考案の攪拌棒は、前記したように他端部が特定の形状をしているので、塗料を効果的に攪拌することができ、比較的粘土の高い塗料でも攪拌する時の液抵抗が少なく効率的に攪拌することができるという特徴を有するものである。
【００１７】
さらに軽量であるため、操作が容易であり、耐久性があるので繰り返し使用することができるし、保管には場所をとらないし、特段の保管管理を要しないという簡便さをも備えている。また、本考案の攪拌棒全体には、突起物や接続部がないため、付着物が付着していても容易に除去することができる。
【００１８】
本考案の攪拌棒において、一端部近傍にかける角部において面取りをすることによって、握りやすくなるので、そのような攪拌棒も本考案の好ましい態様である。
【産業上の利用可能性】
【００１９】
本考案によって提供される攪拌棒は、開口部径の小さいローヤル缶を使用した塗料に対しても使用でき、塗料沈殿物を軟らかくほぐすことができ、塗料を効率よく攪拌でき、かつ塗料の付着が少ない攪拌棒である。
本考案によって、塗料成分によって腐食しないし、塗料への溶解によって塗料に異物を混入させることもない塗料用に好適な攪拌棒が提供される。
本考案によって提供される攪拌棒は、折れ難く、耐久性があり、軽量であって、液抵抗の少ない形状であり、かつ操作が容易で、保管も容易な攪拌棒であり、塗料用に好適な攪拌棒である。
本考案によって提供される攪拌棒は、樹脂製攪拌棒であるので、缶の入り口や内壁を傷つけることがない攪拌棒である。
本考案によって提供される攪拌棒は、塗料ばかりでなく、化学品用としても使用が可能である。
【符号の説明】
【００２０】
１．攪拌棒
２．一端部
３．他端部
４．傾斜面
５．通孔
６．ローヤル缶
７．開口部
８．塗料
【図１】
0003164080.tif 000003
【図２】
0003164080.tif 000004
【図３】
0003164080.tif 000005